(57)【要約】      （修正有）【課題】照明器具から取り外すことなく内部に溜まった虫の死骸や埃等を清掃することができる天助照明用カバーを提供する。【解決手段】天井に取り付ける照明器具用のカバー１００であって、カバー本体１０２の最底部に掃除機のホースを差し込んで吸引する為の吸引口１０４を備える。さらに、該吸引口１０４をカバー本体１０２の内側に向かって逆漏斗状に隆起するように形成し、当該隆起部を上方から覆うように傘部１１０を備え、当該傘部１１０の凹面側に空気の通路となる空気溝を形成する。【選択図】図１
0003174921.tif 000002
【実用新案登録請求の範囲】
【請求項１】
天井に取り付ける照明器具用のカバーであって、
当該カバーの最底部に掃除機のホースを差し込んで吸引する為の吸引口を備え、
該吸引口が、カバー内側に向かって逆漏斗状に隆起して隆起部を形成し、
当該隆起部を上方から覆うように傘部を備え、
当該傘部の凹面側には空気の通路となる空気溝が形成されている
ことを特徴とする天井照明用カバー。
【請求項２】
請求項１において、
被吸引物を前記最底部に集めるための振動発生機を備える
ことを特徴とする天井照明用カバー。
【請求項３】
請求項２において、
前記振動発生機は、
筒状体と、当該筒状体を長手方向に貫通する紐体と、当該紐体に固定された複数の球体と、前記筒状体の内周面に固定され前記球体が移動すると前記球体が接触する事によって振動する振動発生板と、を備える
ことを特徴とする天井照明用カバー。
【考案の詳細な説明】
【技術分野】
【０００１】
本考案は、建物の天井面に取り付ける照明器具のカバーに関する。
【背景技術】
【０００２】
広く一般に、家屋等の建物の天井面には、蛍光灯などの照明器具が備わっており、当該照明器具を保護するために、また光を拡散等するためにカバーが設けられている（特許文献１）。
【先行技術文献】
【特許文献】
【０００３】
【特許文献１】特開２００６−１２７９１５号公報
【考案の概要】
【考案が解決しようとする課題】
【０００４】
これらのカバーは、走光性のある虫等が進入しないよう種々工夫がされているが、そのような対策をしてもカバー内への虫の侵入を完全に防ぐことができないのが現状である。もちろん厳重に密閉することはできるが、そのように構成すると却って照明器具を交換等する際の煩雑さやコスト増が顕在化してしまう。
【０００５】
また、カバー内に虫が侵入した場合、それを取り出すにはカバー自体を外す必要があった。
【０００６】
本考案は、これらの問題点を解決するべくなされたものである。
【課題を解決するための手段】
【０００７】
上記課題を解消するべく、本考案は、天井に取り付ける照明器具用のカバーであって、当該カバーの最底部に掃除機のホースを差し込んで吸引する為の吸引口を備え、該吸引口が、カバー内側に向かって逆漏斗状に隆起して隆起部を形成し、当該隆起部を上方から覆うように傘部を備え、当該傘部の凹面側には空気の通路となる空気溝が形成されていることを特徴とする。
【０００８】
このような構成を採用したことによって、カバーを照明器具から取り外すことなく虫の死骸等の被吸引物を吸引して簡易且つ迅速に清掃することができるようになった。即ち、カバーの最底部に吸引口を設け、この吸引口に掃除機のホースを差し込んで虫の死骸等を吸引するのである。しかし単にカバーの最底部に穴を開けるのみでは虫の死骸が（例えば食卓等に落下してしまい衛生的ではない。そこで本考案では吸引口を逆漏斗状に隆起させて、虫の落下を防止している。また、単に吸引口を設けるのみでは掃除機のホースを差し込んでも上手く吸引することができない。そこで本考案は吸引口を逆漏斗状に隆起させた上で、その隆起部を覆い且つ隆起部の隆起形状に沿う形状の傘部を配置している。これにより掃除機の吸引力を効率的にカバーの最底部側（隆起部周辺）に集中させることができる。更にこの傘部の凹面（内側面）には空気溝が形成されているので、当該傘部が掃除機のホース先端に張り付いて吸引できなくなったり、負圧により当該傘部と隆起部が張り付いて吸引できなくなる等の不具合を未然に防止している。要するに、カバー内への虫等の進入を阻止するという考え方を１８０度転換し、虫等が進入したら容易にそれらを吸引清掃しようとする発想である。
【０００９】
また、被吸引物を前記最底部に集めるための振動発生機を備えてもよい。これにより虫の死骸等を吸引しやすい位置（最底部）に集めることができるので、吸引残しをなくすことができる。
【００１０】
またこの振動発生機を、筒状体と、当該筒状体を長手方向に貫通する紐体と、当該紐体に固定された複数の球体と、前記筒状体の内周面に固定され前記球体が移動すると前記球体が接触する事によって振動する振動発生板と、を備えるような構成としてもよい。このようにすれば、電力を使用することなく振動を発生することができ経済的である。具体的には筒状体をカバーに押し当てながら球体を固定された紐を引くことで、球体と振動発生板が接触して振動発生板が振動する。振動発生板は筒状体の内周面に固定されているので、発生した振動は筒状体に伝搬する。更に筒状体に伝搬した振動は押し当てられたカバー側に伝搬し、虫の死骸等が最底部に集まってくるのである。
【考案の効果】
【００１１】
本考案により、照明器具から取り外すことなく内部に溜まった虫の死骸や埃等を清掃することができる。
【図面の簡単な説明】
【００１２】
【図１】本考案に係る天井照明用カバーを装着した天井照明の概略断面図である。
【図２】吸引部の一部断面拡大図である。
【図３】傘部の拡大図である。
【図４】傘部の第２実施例を示した拡大図である。
【図５】吸引している状態を示した図である。
【図６】振動発生機を取り付けて虫の死骸をカバー底部に集めている状態を示した図である。
【図７】振動発生機の一部断面概略構成図である。
【考案を実施するための形態】
【００１３】
以下、添付図面を参照しつつ、本考案の実施形態の一例につき詳細に説明を加える。なお、図面理解容易の為、各部の大きさや寸法を誇張して表現している部分があり、実際の製品と必ずしも一致しない部分があることを付記しておく。また各図面は符号の向きに見るものとし、当該向きを基本に上下左右、手前、奥と表現する。
【００１４】
〈天井照明用カバーの構成〉
本考案の実施形態の一例である天井照明用カバー（以下単に「カバー」という。）１００は、図１に示している通り、天井１に備わる蛍光灯３などの照明器具を保護する為に取り付けられる。天井１には照明器具基台２が固定されていて、当該照明器具基台２の下面に蛍光灯（照明器具）３が吊設されている。照明器具基台２の外周部にはカバー１００を取り付けるための取付部２ａが形成されている。カバー１００はこの取付部２ａに引っ掛かるように取り付けられている。
【００１５】
カバー１００は、カバー本体１０２と傘部１１０を備え、概略、クラゲの頭部（傘部）を逆さまにしたような形状に形成されている。また透明若しくは半透明（乳半）の樹脂材料で構成される。
【００１６】
カバー本体１０２の最底部には掃除機のホースを差し込んで吸引する為の吸引口１０４を備える。この吸引口１０４は、カバー本体１０２の内側に向かって逆漏斗状に隆起しており隆起部１０５を形成している。この隆起部１０５には、当該隆起部１０５全体（即ち隆起した吸引口１０４）を上方から覆うように傘部１１０が配置されている。この傘部１１０とカバー本体１０２とは物理的に分離していて、丁度隆起部１０５の上に載置されるように置かれている。また、傘部１１０の凹面側には空気の通路となる空気溝１１２が複数形成されている。なお傘部の凹面側に形成される空気溝の形状は様々な形状を採用することができる（図４参照）。
【００１７】
〈天井照明用カバーの作用・機能〉
カバー１００の中に虫等が進入した場合には、吸引口１０４に家庭用掃除機等のホースを差し込んで吸引する（図５参照）。これにより、隆起部１０５の周りの虫の死骸や埃等の被吸引物２０を吸引して清掃することができる。要するに、家庭用掃除機等のホースへの吸引力は、隆起部１０５と傘部１１０の隙間を介して伝達され、隆起部１０５の周辺の空気を吸引するので、その吸引力に負けて被吸引物２０がホース側に吸引されるのである。
【００１８】
このように、カバー１００を照明器具から取り外すことなく虫の死骸等の被吸引物２０を吸引して簡易且つ迅速に清掃することができる。また本考案を適用したカバー１００では吸引口１０４を逆漏斗状に隆起させて隆起部１０５を形成しているので、進入した虫や埃が（吸引していないにも関わらず）吸引口１０４から自然落下してくることはない。
【００１９】
また本考案を適用したカバー１００は、吸引口１０４を逆漏斗状に隆起させた上で、その隆起部１０５を覆い且つ隆起部１０５の隆起形状に沿う形状の傘部１１０を配置している。これにより掃除機の吸引力を効率的にカバーの最底部側（隆起部１０５周辺）に集中させることができる。更にこの傘部１１０の凹面（内側面）には空気溝１１２が形成されているので、当該傘部１１０が掃除機のホース先端１０に張り付いて吸引できなくなったり、負圧により当該傘部と隆起部が張り付いて吸引できなくなる等の不具合を未然に防止している。
【００２０】
また、照明器具基台２の外周部の取付部２ａとカバー本体１０２との取付態様は、本実施形態では空気が出入りできる程度に緩やかに結合取付けされている。よって、吸引した場合でもカバー本体１０２内が過度に負圧になりカバー本体１０２が変形するというような不具合も発生しない。
【００２１】
なお、被吸引物２０を最底部（隆起部１０５の周り）に集めるための振動発生機を備えることが望ましい。例えばカバー本体１０２のどこかに偏心モータ（図示していない）を固定しておき、リモコン等で当該偏心モータを作動させることによって当該カバー本体１０２を振動させ、被吸引物２０を最底部（隆起部１０５の周り）に集めると効果的である。
【００２２】
また、例えば振動発生機を、図７に示しているように、筒部（筒状体）１５２と、この筒部１５２を長手方向に貫通する紐体１５５と、この紐体１５５に固定された複数の振動発生用球体１５６と、筒部１５２の内周面に固定され振動発生用球体１５６が移動するとこの振動発生用球体１５６が接触する事によって振動する振動発生板１５８と、を備えるといった構成を採用してもよい。
【００２３】
なお符合１５７は紐体１５５の両端に固定され、当該紐体１５５を引っ張る際に握るための引球である。また、筒部１５２の両端は蓋１５３がされていて、当該蓋１５３の略中心に紐体１５５を通すための貫通孔１５４が形成されている、なお筒部１５２の両端に備わる蓋１５３は引球１５７を引っ掛けて移動を阻止するストッパとして機能する。また、紐体１５５に固定されている振動発生用球体１５６の直径は、振動発生板１５８の中心に形成されている球体貫通部１５９の内径よりも僅かに大きく形成されており、振動発生用球体１５６が移動するとこの振動発生板１５８に必ず接触するように構成される。
【００２４】
このようにすれば、電力を使用することなく振動を発生することができ経済的である。具体的には筒部１５２をカバー本体１０２に押し当てながら振動発生用球体１５６が固定された紐体１５５を引く（引球１５７を把持して引く）ことで、振動発生用球体１５６と振動発生板１５８が接触して振動発生板１５８が振動する。振動発生板１５８は筒部１５２の内周面に固定されているので、発生した振動は筒部１５２に伝搬する。更に筒部１５２に伝搬した振動は押し当てられたカバー本体１０２側に伝搬し、これにより虫の死骸等２０が最底部に集まってくる。よって被吸引物を吸引しやすい位置に移動させることができるので、吸引残りを防止することができる。
【符号の説明】
【００２５】
１・・・天井
２・・・照明器具基台
３・・・蛍光灯（照明器具）
２０・・・被吸引物（虫の死骸、埃等）
１００・・・天井照明用カバー
１０２・・・カバー本体
１０３・・・取付部
１０４・・・吸引口
１０５・・・隆起部
１１０、２１０・・・傘部
１１２、２１２・・・空気溝
１５０・・・振動発生器
１５２・・・筒部
１５３・・・蓋（ストッパ）
１５４・・・貫通孔
１５５・・・紐体
１５６・・・振動発生用球体
１５７・・・引球
１５８・・・振動発生板
１５９・・・球体貫通部
【図１】
0003174921.tif 000003
【図２】
0003174921.tif 000004
【図３】
0003174921.tif 000005
【図４】
0003174921.tif 000006
【図５】
0003174921.tif 000007
【図６】
0003174921.tif 000008
【図７】
0003174921.tif 000009